(57)【要約】【課題】ユーザに速くて便利な検索機能を提供することができるファイル検索方法及びファイル検索システムを提供する。【解決手段】本発明に係るファイル検索方法は、タッチパネルを備える電子装置に適用される。ファイル検索方法は、カーソルのタッチパネルにおける位置を確定するカーソル位置確定ステップと、ユーザがタッチパネルにおけるカーソル位置に対して加えた持続的なタッチ操作を検出するタッチ検出ステップと、タッチ操作の持続時間が予め設定された閾値を超えたかどうかを判断する判断ステップと、タッチ操作の持続時間が予め設定された閾値を超えた場合、ファイル検索インタフェースを開く検索インタフェースオープンステップと、を備える。【選択図】図７
2014149826.tif 000002
【特許請求の範囲】
【請求項１】
タッチパネルを備える電子装置に適用されるファイル検索方法であって、
カーソルの前記タッチパネルにおける位置を確定するカーソル位置確定ステップと、
ユーザが前記タッチパネルにおける前記カーソルの位置に対して加えた持続的なタッチ操作を検出するタッチ検出ステップと、
前記タッチ操作の持続時間が予め設定された閾値を超えたかどうかを判断する判断ステップと、
前記タッチ操作の持続時間が予め設定された閾値を超えた場合、ファイル検索インタフェースを開く検索インタフェースオープンステップと、
を備えることを特徴とするファイル検索方法。
【請求項２】
前記ファイル検索インタフェースの中からユーザが入力したキーワードを受信するキーワード受信ステップと、
前記キーワードに基づいてカーソルが位置するエリアの中の内容を検索する検索ステップと、
前記タッチパネルにおいて、前記キーワードとマッチングするファイルをハイライト表示する検索結果表示ステップと、
をさらに備えることを特徴とする請求項１に記載のファイル検索方法。
【請求項３】
前記カーソルが位置するエリアは、デスクトップであり、前記検索ステップは、前記キーワードに基づいて前記デスクトップ上のファイル又はフォルダの中から目標ファイル又は目標フォルダを探し出すことを特徴とする請求項２に記載のファイル検索方法。
【請求項４】
前記検索結果表示ステップにおいて、前記タッチパネルにおいて、名称に前記キーワードを含むファイル又はフォルダをハイライト表示することを特徴とする請求項２に記載のファイル検索方法。
【請求項５】
前記検索結果表示ステップにおいて、名称が前記キーワードとマッチングしているファイル又はフォルダを、前記ファイル検索インタフェースにおいて表示することを特徴とする請求項２に記載のファイル検索方法。
【請求項６】
タッチパネルを備える電子装置の中で実行されるファイル検索システムであって、
カーソルの前記タッチパネルにおける位置を確定するカーソル位置確定モジュールと、
ユーザが前記タッチパネルにおける前記カーソル位置に対して加えた持続的なタッチ操作を検出するタッチ検出モジュールと、
前記タッチ操作の持続時間が予め設定された閾値を超えたかどうかを判断する判断モジュールと、
前記タッチ操作の持続時間が予め設定された閾値を超えた場合、ファイル検索インタフェースを開く検索インタフェースオープンモジュールと、
を備えることを特徴とするファイル検索システム。
【請求項７】
前記ファイル検索インタフェースの中からユーザが入力したキーワードを受信するキーワード受信モジュールと、
前記キーワードに基づいてカーソルが位置するエリアの中の内容を検索する検索モジュールと、
前記タッチパネルにおいて、前記キーワードにマッチングするファイルをハイライト表示する検索結果表示モジュールと、
をさらに備えることを特徴とする請求項６に記載のファイル検索システム。
【発明の詳細な説明】
【技術分野】
【０００１】
本発明は、情報検索技術に関し、特に、タッチパネルを備える電子装置に適用されるファイル検索方法及びファイル検索システムに関するものである。
【背景技術】
【０００２】
デスクトップコンピュータ及びノートパソコン等の電子装置において、ファイルを検索する際、一般的には、多段メニューの中でナビゲーションして、検索ウィンドウを開く。或いは、マウスの右ボタンをクリックして、ショート・メニューを展開させた後、検索ウィンドウを選択して開く。しかし、何れの方式も、操作が煩雑で不便である。従って、如何にファイル検索方法及び検索システムを改善して便利にするかが、現在の技術者の課題である。
【発明の概要】
【発明が解決しようとする課題】
【０００３】
そこで、本発明は、以上の問題点に鑑みてなされたものであり、ユーザに速くて便利な検索機能を提供することができるファイル検索方法及びファイル検索システムを提供することを目的とする。
【課題を解決するための手段】
【０００４】
上記の課題を解決するために、本発明に係るファイル検索方法は、タッチパネルを備える電子装置に適用される。前記ファイル検索方法は、カーソルの前記タッチパネルにおける位置を確定するカーソル位置確定ステップと、ユーザが前記タッチパネルにおける前記カーソル位置に対して加えた持続的なタッチ操作を検出するタッチ検出ステップと、前記タッチ操作の持続時間が予め設定された閾値を超えたかどうかを判断する判断ステップと、前記タッチ操作の持続時間が予め設定された閾値を超えた場合、ファイル検索インタフェースを開く検索インタフェースオープンステップと、を備える。
【０００５】
また、上記の課題を解決するために、本発明に係るファイル検索システムは、タッチパネルを備える電子装置の中で実行される。前記ファイル検索システムは、カーソルの前記タッチパネルにおける位置を確定するカーソル位置確定モジュールと、ユーザが前記タッチパネルにおける前記カーソル位置に対して加えた持続的なタッチ操作を検出するタッチ検出モジュールと、前記タッチ操作の持続時間が予め設定された閾値を超えたかどうかを判断する判断モジュールと、前記タッチ操作の持続時間が予め設定された閾値を超えた場合、ファイル検索インタフェースを開く検索インタフェースオープンモジュールと、を備える。
【発明の効果】
【０００６】
従来の技術と異なり、本発明のファイルの検索システム及び検索方法は、ユーザに速くて便利な検索機能を提供することができる。従って、ファイル検索の効率及び操作体験を著しく改善することができる。
【図面の簡単な説明】
【０００７】
【図１】本発明の実施形態に係る電子装置の内部構成を示す図である。
【図２】本発明の実施形態に係るファイル検索システムの機能モジュールを示す図である。
【図３】図１に示した電子装置のカーソル所在エリアにおいて目標ファイル／フォルダを検索している過程を示す図である。
【図４】図１に示した電子装置のカーソル所在エリアにおいて、目標ファイル／フォルダを検索している過程を示す図である。
【図５】図１に示した電子装置のカーソル所在エリアにおいて、目標ファイル／フォルダを検索している過程を示す図である。
【図６】図１に示した電子装置のカーソル所在エリアにおいて、目標ファイル／フォルダを検索している過程を示す図である。
【図７】本発明の実施形態に係るファイル検索方法のフローチャートである。
【発明を実施するための形態】
【０００８】
図１に示すように、本発明の実施形態に係る電子装置１０は、中央演算処理装置１０１、メモリ１０２及びタッチパネル１０３を備える。本発明のファイル検索システム２０は、電子装置１０により実行される。電子装置１０は、あらゆるタッチ入力機能を備える電子装置であることが可能である。
【０００９】
中央演算処理装置１０１は、データを処理し、且つ電子装置１０の全ての機能モジュール（メモリ１０２及びタッチパネル１０３を含む）を制御して管理する。
【００１０】
メモリ１０２は、データを記憶するために用いられ、ランダムアクセスメモリ（ＲＡＭ）、フラッシュディスク、ハードディスク等の記憶装置であることができる。タッチパネル１０３は、ユーザインタフェースを表示し、且つユーザのタッチ入力操作を検知して応答する。タッチパネル１０３は、電気抵抗式又は電気容量式のタッチパネルである。
【００１１】
ファイル検索システム２０は、あるエリアのファイルを検索するために用いられる。図２に示すように、ファイル検索システム２０は、カーソル位置確定モジュール２０１、タッチ検出モジュール２０２、判断モジュール２０３、検索インタフェースオープンモジュール２０４、キーワード受信モジュール２０５、検索モジュール２０６及び検索結果表示モジュール２０７を備える。これらのモジュールは、ある特定の機能を実現するためのプログラムコードであり、且つメモリ１０２の中に記憶されて、中央演算処理装置１０１により処理される。これにより、ファイル検索システム２０の各種の機能は実現される。
【００１２】
カーソル位置確定モジュール２０１は、カーソルのタッチパネル１０３における位置を確定する。前記カーソルは、マウスのタッチパネル１０３における指針又はテキスト入力インタフェースの中の現在位置を指示するためのインジケーターである。タッチ検出モジュール２０２は、ユーザがタッチパネル１０３における前記カーソル位置に対して加えた持続的なタッチ操作を検出する。判断モジュール２０３は、前記タッチ操作の持続時間が予め設定された閾値（例えば、３秒）を超えたかどうかを判断する。検索インタフェースオープンモジュール２０４は、前記タッチ操作の持続時間が前記閾値を超えた場合、ファイル検索インタフェースを開く。キーワード受信モジュール２０５は、ファイル検索インタフェースを介してユーザが入力したキーワードを受信する。検索モジュール２０６は、前記キーワードに基づいてカーソルが位置するエリアの中の内容を検索する。前記カーソルが位置するエリアとは、デスクトップである。検索結果表示モジュール２０７は、タッチパネル１０３において、前記キーワードにマッチングするファイルをハイライト表示する。
【００１３】
図３及び図４に示すように、電子装置１０のデスクトップには、複数のファイル及びフォルダが置かれている。ユーザがこれらのファイル及びフォルダの中から、あるキーワードにマッチングする目標ファイル又は目標フォルダを探し出す必要がある時、指、入力ペン又は他のタッチできる道具を用いて、前記カーソルのタッチパネル１０３における位置をタッチする。
【００１４】
図５に示すように、タッチ検出モジュール２０２は、ユーザがタッチパネル１０３の前記カーソル位置に対して加えた持続的なタッチ操作を検出すると、判断モジュール２０３は、前記タッチ操作の持続時間が前記閾値を超えたかどうかを判断する。超えた場合、検索インタフェースオープンモジュール２０４は、ファイル検索インタフェースを開く。この場合、ユーザは、前記ファイル検索インタフェースにおいてキーワードを入力し、検索モジュール２０６は、ユーザが入力したキーワードに基づいて、前記デスクトップ上のファイル又はフォルダの中から目標ファイル又は目標フォルダを探し出す。
【００１５】
図６に示すように、前記デスクトップにおいて探し出したあるファイル又はフォルダの名称が、前記キーワードを含む場合、検索モジュール２０６は、当該ファイル又はフォルダの名称が前記キーワードとマッチングしていると判断する。その後、検索結果表示モジュール２０７は、前記キーワードにマッチングしているファイル又はフォルダを、前記ファイル検索インタフェースにおいて表示する。
【００１６】
図７に示すように、本発明の実施形態に係るファイル検索方法は、以下のステップを備える。
【００１７】
ステップＳ７０１において、カーソル位置確定モジュール２０１は、カーソルのタッチパネル１０３における位置を確定する。
【００１８】
ステップＳ７０２において、タッチ検出モジュール２０２は、ユーザがタッチパネル１０３における前記カーソル位置に対して加えた持続的なタッチ操作を検出する。
【００１９】
ステップＳ７０３において、判断モジュール２０３は、前記タッチ操作の持続時間が予め設定された閾値を超えたかどうかを判断する。超えた場合、以下のステップＳ７０４に移る。超えなかった場合、上記のステップＳ７０２に戻る。
【００２０】
ステップＳ７０４において、検索インタフェースオープンモジュール２０４は、ファイル検索インタフェースを開く。
【００２１】
ステップＳ７０５において、キーワード受信モジュール２０５は、前記ファイル検索インタフェースを介してユーザが入力したキーワードを受信する。
【００２２】
ステップＳ７０６において、検索モジュール２０６は、前記キーワードに基づいてカーソルが位置するエリアの中の内容を検索する。
【００２３】
ステップＳ７０７において、検索結果表示モジュール２０７は、タッチパネル１０３において、前記キーワードとマッチングするファイルをハイライト表示する。
【符号の説明】
【００２４】
１０  電子装置
１０１  中央演算処理装置
１０２  メモリ
１０３  タッチパネル
２０  ファイル検索システム
２０１  カーソル位置確定モジュール
２０２  タッチ検出モジュール
２０３  判断モジュール
２０４  検索インタフェースオープンモジュール
２０５  キーワード受信モジュール
２０６  検索モジュール
２０７  検索結果表示モジュール
【図１】
2014149826.tif 000003
【図２】
2014149826.tif 000004
【図３】
2014149826.tif 000005
【図４】
2014149826.tif 000006
【図５】
2014149826.tif 000007
【図６】
2014149826.tif 000008
【図７】
2014149826.tif 000009